(57)【要約】【課題】共振点を容易に微調整することができる蝶ダンパを提供する。【解決手段】スピーカのフレームに固定される外周部１２、及びスピーカの振動板を支持する内周部１１を備えたスピーカ用の蝶ダンパ１０において、蝶ダンパをその周方向において複数の構成部分１４、１５に分割し、材質又は形状が相違する前記構成部分を組み合わせて構成するようにする。たとえば各隣り合う前記構成部分の材質又は形状が相違し、一方の材質を金属とし、他方の材質を樹脂とする。形状の相違としては、たとえば各構成部分における外周部及び内周部間を接続するアーム部の形状の相違が該当する。【選択図】図１
2010021967.tif 000002
【特許請求の範囲】
【請求項１】
スピーカのフレームに固定される外周部、及びスピーカの振動板を支持する内周部を備えたスピーカ用の蝶ダンパであって、
蝶ダンパの周方向において複数の構成部分に分割されており、
材質又は形状が相違する前記構成部分を組み合わせて構成したことを特徴とする蝶ダンパ。
【請求項２】
各隣り合う前記構成部分の材質又は形状が相違することを特徴とする請求項１に記載の蝶ダンパ。
【請求項３】
各隣り合う構成部分の一方の材質は金属であり、他方の材質は樹脂であることを特徴とする請求項１又は２に記載の蝶ダンパ。
【請求項４】
各構成部分のうち同一の材質を有するものは、ほぼ蝶ダンパの中心を中心とする相互に回転対称の形状を有することを特徴とする請求項１〜３のいずれか１項に記載の蝶ダンパ。
【請求項５】
各構成部分は前記外周部及び内周部間を接続するアーム部を有し、前記形状の相違は該アーム部における形状の相違であることを特徴とする請求項１〜４のいずれか１項に記載の蝶ダンパ。
【請求項６】
各構成部分は所定の板材を型抜きすることにより形成されたものであることを特徴とする請求項１〜５のいずれか１項に記載の蝶ダンパ。
【発明の詳細な説明】
【技術分野】
【０００１】
本発明は、スピーカ用の蝶ダンパに関する。
に関する。
【背景技術】
【０００２】
一般に、スピーカのボイスコイルを保持する蝶ダンパは、小型のものが多く、抜き型を用いて板材から抜き取ることにより、一体のものとして形成される。
【０００３】
図７はこのような従来の蝶ダンパの斜視図である。同図に示すようにこの蝶ダンパは、スピーカのボイスコイルに接続される内周部７１、スピーカのフレームに接続される外周部７２、並びに内周部７１及び外周部７２を接続するアーム部７３を備える。この蝶ダンパは樹脂性や金属性の板材を、蝶ダンパの形状を有する抜き型を用いて型抜きすることにより一体的に形成される。その際、内周部７１内側の部分７４に対応する板材部分は廃棄される。スピーカに取り付けられた蝶ダンパは、スピーカの駆動に際し、ボイスコイルを振動可能に支持することにより、ボイスコイルからスピーカの振動板に伝達される振動を正確に維持する。
【０００４】
なお、このような蝶ダンパとして、導電性部材からなり、少なくとも２分割された蝶ダンパが提案されている（たとえば、特許文献１参照）。
【０００５】
【特許文献１】特開平７−１３１８９０号公報
【発明の開示】
【発明が解決しようとする課題】
【０００６】
しかしながら、上述図７の従来の蝶ダンパによれば、その形状や材質によって蝶ダンパの共振点が決まるので、共振点を微調整することができない。また、抜き型により一体的に形成されるので、サイズの大きな蝶ダンパの場合には、蝶ダンパを形成する際に、内周部７１内側の廃棄される板材部分の面積が大きくなり、材料コストが増大する。したがって、このような蝶ダンパは、大型の蝶ダンパの製造には適していない。
【０００７】
また、上述の分割された蝶ダンパによれば、やはりその形状や材質によって蝶ダンパの共振点が決まるので、共振点を微調整することができないという問題がある。
【０００８】
本発明の目的は、かかる従来技術の問題点に鑑み、共振点を容易に微調整することができる蝶ダンパを提供することにある。
【課題を解決するための手段】
【０００９】
この目的を達成するため、第１の発明に係る蝶ダンパは、スピーカのフレームに固定される外周部、及びスピーカの振動板を支持する内周部を備えたスピーカ用の蝶ダンパであって、蝶ダンパの周方向において複数の構成部分に分割されており、材質又は形状が相違する前記構成部分を組み合わせて構成したことを特徴とする。
【００１０】
第２の発明に係る蝶ダンパは、第１発明において、各隣り合う前記構成部分の材質又は形状が相違することを特徴とする。
【００１１】
第３の発明に係る蝶ダンパは、第１又は第２発明において、各隣り合う構成部分の一方の材質は金属であり、他方の材質は樹脂であることを特徴とする。
【００１２】
第４の発明に係る蝶ダンパは、第１〜第３のいずれかの発明において、各構成部分のうち同一の材質を有するものは、ほぼ蝶ダンパの中心を中心とする相互に回転対称の形状を有することを特徴とする。
【００１３】
第５の発明に係る蝶ダンパは、第１〜第４のいずれかの発明において、各構成部分は前記外周部及び内周部間を接続するアーム部を有し、前記形状の相違は該アーム部における形状の相違であることを特徴とする。
【００１４】
第６の発明に係る蝶ダンパは、第１〜第５のいずれかの発明において、各構成部分は所定の板材を型抜きすることにより形成されたものであることを特徴とする。
【発明の効果】
【００１５】
本発明によれば、材質又は形状が相違する構成部分間で共振点を分散させることができる。したがって、構成部分間において相違する各材質又は形状を適宜選択・変更することにより、構成部分間における共振点の分散を制御し、共振点を微調整することができる。
【発明を実施するための最良の形態】
【００１６】
図１は、本発明の一実施形態に係る蝶ダンパの斜視図である。同図に示すように、この蝶ダンパ１０は、スピーカの振動板を支持する内周部１１、スピーカのフレームに固定される外周部１２、並びに内周部１１及び外周部１２間を接続するアーム部１３を備える。蝶ダンパ１０は、蝶ダンパ１０の周方向において複数の構成部分に分割された各構成部分を、該周方向に隣接させて配置することにより構成され、各隣接する構成部分の材質及び形状が相互に異なっている。つまり蝶ダンパ１０は、３つの金属製（例えばステンレス）の構成部分１４及び３つの樹脂製の構成部分１５を備え、構成部分１４及び構成部分１５を交互に組み合わせて円環状に配置することにより構成される。
【００１７】
構成部分１４におけるアーム部１３及び構成部分１５におけるアーム部１３は形状が異なる。前者は後者よりも細い。構成部分１４及び構成部分１５間において共振点を分散させるためである。逆に後者を前者より細くして共振点の分散を実現するようにしてもよい。３つの構成部分１４は蝶ダンパ１０の中心を中心とする相互に回転対称の形状を有する。構成部分１５も同様である。
【００１８】
図２（ａ）は蝶ダンパ１０を構成する３つの構成部分１４及び３つの構成部分１５を示す斜視図である。各構成部分１４及び各構成部分１５はそれぞれ型抜きにより一体的に形成される。その際、各構成部分１４及び１５の型抜きには、それぞれの板材における抜取り部分の面積が同図のように極力小さくなるような抜き型が用いられる。図２（ｂ）は従来のように全体を型抜きにより一度に形成した蝶ダンパを示す斜視図である。図２（ａ）及び（ｂ）を比較すると、本実施形態の蝶ダンパ１０は、蝶ダンパ２０の場合に比べ、より小さい面積の板材から構成することができることがわかる。つまり、図２（ｂ）の従来法により形成される蝶ダンパ２０の場合には、その内周部２２の内側部分に対応する廃棄される板材部分が大きな面積を有するのに対し、図２（ａ）のように型抜きした各構成部分１４及び１５により構成される本実施形態の蝶ダンパ１０によれば、廃棄される板材部分の面積を極力減らすことができる。
【００１９】
図３は蝶ダンパ１０が適用されたスピーカの一部を示す斜視図である。図中の３１はスピーカのフレーム、３２はフレーム３１に対し、図示していないエッジを介して接続された振動板である。同図に示すように、蝶ダンパ１０の内周部１１の内側端面は、振動板３２に対し、接着により固定されている。蝶ダンパ１０を構成する構成部分１４及び１５間の接続部分３３は、製造に際しての接着剤による接着により仮止めがなされている程度である。その接着の有無はスピーカの機能とは無関係である。蝶ダンパ１０の外周部は図示されてはいないが、フレーム３１に対して固定されている。振動板３２の中心部は図示されていないボイスコイルに接続されている。振動板３２はスピーカに付与される駆動信号に基づくボイスコイルの振動を、音響信号として出力する。その際、蝶ダンパ１０はエッジと協働し、ボイスコイルから振動板３２に伝達する振動を、正確に維持する。
【００２０】
蝶ダンパ１０を適用してスピーカを製造するに際しては、まず、蝶ダンパ１０を構成する各３つずつの構成部分１４及び１５を図２（ａ）のように形成する。その際、構成部分１４及び１５の形成は、それぞれステンレス製の板材及び樹脂製の板材から抜き型により型抜きして行われる。次に、３つの構成部分１４及び３つの構成部分１５を交互に隣接させて円環状に配置しながら、隣接する構成部分１４及び１５における各内周部１１部分及び外周部１２部分の端部間を接着剤等により仮止めし、図１のように接合する。次に、仮止めされた蝶ダンパ１０を用い、図３のように、スピーカを組み立てる。その際、蝶ダンパ１０の内周部１１は振動板３２に接着され、外周部１２はフレーム３１に固定される。
【００２１】
次に、蝶ダンパ１０について、汎用有限要素法解析シュミレーションソフトにより、３次元データを取り込み、蝶ダンパ１０単体で周波数応答解析を行った結果を示す。解析は、内周部１１に調和振動加重を与え、外周部１２を完全に拘束した状態で行った。解析に際しては、アーム部１３における共振を確認するために、図４において示されるように、構成部分１４におけるアーム部１３上に観測点Ａを作成するとともに、構成部分１５におけるアーム部１３上の位置に観測点Ｂを作成し、観測点Ａ及びＢにおける蝶ダンパ１０の円周軸方向（蝶ダンパ１０の主要面に垂直な方向）についての加速度を観測した。
【００２２】
図５はこの観測結果を示す。図５（ａ）は観測点Ａにおける観測結果であり、図５（ｂ）は観測点Ｂにおける観測結果である。各図における上のグラフが加速度振幅の周波数応答であり、下のグラフは位相角の周波数応答である。これらの図から、観測点Ａ及びＢにおいて、振幅のピーク及びディップの周波数が異なり、分散していることがわかる。つまり蝶ダンパ１０によれば、構成部分１４及び１５間において、アーム部１３における共振点を分散させることができることがわかる。
【００２３】
図６は比較例として、１つの板材から一度の型抜きにより一体的に形成した図２（ｂ）の蝶ダンパ２０について、同様にして汎用有限要素法解析シュミレーションソフトにより、観測点Ａ及びＢを作成し、周波数応答解析を行った結果を示す。図６（ａ）は観測点Ａにおける観測結果、図６（ｂ）は観測点Ｂにおける観測結果である。各図における上のグラフが加速度振幅の周波数応答であり、下のグラフは位相角の周波数応答である。これらの図から、観測点Ａ及びＢにおいて、振幅のピーク及びディップの周波数がほぼ一致しており、分散していないことがわかる。つまり蝶ダンパ２０によれば、各アーム部における共振点を分散させることができないことがわかる。
【００２４】
本実施形態によれば、材質及び形状が相違する構成部分１４及び１５を組み合わせて蝶ダンパを構成するようにしたため、構成部分１４及び１５のアーム部分１３における共振点を分散させることができる。したがって、構成部分１４及び１５の材質及び形状を適宜選択・変更することにより、構成部分１４及び１５間における共振点の分散を制御し、微調整することができる。
【００２５】
また、構成部分１４又は１５毎に型抜きにより一体的に形成するようにしたため、蝶ダンパ全体を型抜きにより一体的に形成する場合に比べ、廃棄する板材部分の面積を小さくすることができる。したがって、製造コストを削減することができる。
【００２６】
なお、本発明は上述実施形態に限定されることなく、適宜変形して実施することができる。たとえば、上述においては、構成部分１４及び１５として、相互に材質及び形状が相違するものを用いているが、この代わりに、相互に材質のみ、又は形状のみが異なるものを用いるようにしてもよい。
【００２７】
また、上述においては、分割された構成部分の数を６、相違する材質及び形状の種類の数を２としているが、これらの数はこれに限定されるものではない。たとえば、分割数を５や８としたり、材質及び形状の種類の数を５や４としたりするようにしてもよい。
【００２８】
また、上述においては、内周部１１が振動板３２を直接支持する蝶ダンパについて説明したが、本発明はこれに限らず、内周部がボイスコイルに固定され、振動板をボイスコイルを介して間接的に支持する蝶ダンパについても適用することができる。
【図面の簡単な説明】
【００２９】
【図１】本発明の一実施形態に係る蝶ダンパの斜視図である。
【図２】図１の蝶ダンパの構成部分を、従来の形成法による蝶ダンパと比較して示す斜視図である。
【図３】図１の蝶ダンパが適用されたスピーカの一部を示す斜視図である。
【図４】図１の蝶ダンパについて周波数応答解析を行う際に観測点が作成された画面を示す図である。
【図５】図１の蝶ダンパについて行った周波数応答解析の結果を示すグラフである。
【図６】従来法により製造される蝶ダンパについて行った周波数応答解析の結果を示すグラフである。
【図７】従来の蝶ダンパの斜視図である。
【符号の説明】
【００３０】
１０：蝶ダンパ、１１：内周部、１２：外周部、１３：アーム部、１４，１５：構成部分、２０：蝶ダンパ、２２：内周部、３１：フレーム、３２：振動板、３３：接続部分、Ａ，Ｂ：観測点、７１：内周部、７２：外周部、７３：アーム部。
【図１】
2010021967.tif 000003
【図２】
2010021967.tif 000004
【図３】
2010021967.tif 000005
【図４】
2010021967.tif 000006
【図５】
2010021967.tif 000007
【図６】
2010021967.tif 000008
【図７】
2010021967.tif 000009